(57)【要約】【課題】複数の画像を並べて表示できるカメラシステムにおいて、利便性を高める。【解決手段】カメラシステム１００は、撮像光学系Ｌと、撮像部４５と、液晶モニタ１６と、絞り設定部２９と、画像表示制御部１５と、を有している。液晶モニタ１６は第１表示領域Ｒ１３１および第２表示領域Ｒ１３２を有している。絞り設定部２９は、実際の絞り値がプリセット値になるように、所定の周期で絞りを調節する。画像表示制御部１５は、絞り値がプリセット値である条件下において撮像部４５により取得された基準画像Ａ１を前記第１表示領域Ｒ１３１に表示させ、基準画像Ａ１とは異なるタイミングで撮像部４５により取得された比較画像Ｂ１を第２表示領域Ｒ１３２に表示させる。【選択図】図１２
2008301318.tif 000002
【特許請求の範囲】
【請求項１】
被写体の光学像を形成する撮像光学系と、
前記光学像を画像信号に変換し前記被写体の画像を順次取得する撮像部と、
前記撮像部により取得された複数の前記画像を並べて表示可能なように第１および第２表示領域を有する表示部と、
撮影条件を第１周期で第１撮影条件に調節する条件調節部と、
前記第１撮影条件下において前記撮像部により取得された第１画像の少なくとも一部を基準画像として前記第１表示領域に表示させ、前記第１画像とは異なるタイミングで前記撮像部により取得された第２画像の少なくとも一部を比較画像として前記第２表示領域に表示させる表示制御部と、
を備えたカメラシステム。
【請求項２】
前記撮影条件を入力可能な条件入力部をさらに備え、
前記条件調節部は、前記撮影条件を前記第１撮影条件に調節するタイミングとは異なるタイミングで、前記条件入力部に入力された第２撮影条件に前記撮影条件を調節する、
請求項１に記載のカメラシステム。
【請求項３】
前記条件調節部は、前記撮影条件を前記第１周期で前記第１撮影条件に調節し、前記撮影条件を第２周期で前記第２撮影条件に調節する、
請求項２に記載のカメラシステム。
【請求項４】
前記第１周期は、前記第２周期と同じである、
請求項３に記載のカメラシステム。
【請求項５】
前記表示制御部は、新たに前記基準画像が取得されるまでの間、最新の前記基準画像を前記表示部に継続して表示させ、新たに前記比較画像が取得されるまでの間、最新の前記比較画像を前記表示部に継続して表示させる、
請求項４に記載のカメラシステム。
【請求項６】
前記表示制御部は、前記基準画像を前記第１画像のその他の部分よりも拡大して前記第１表示領域に表示させ、前記比較画像を前記第２画像のその他の部分よりも拡大して前記第２表示領域に表示させる、
請求項１から５のいずれかに記載のカメラシステム。
【請求項７】
前記基準画像および比較画像は、前記撮像部により取得された画像の中央線を基準に線対称の関係にある、
請求項１から５のいずれかに記載のカメラシステム。
【発明の詳細な説明】
【技術分野】
【０００１】
本発明は、カメラシステム、特に、複数の画像を並べて表示できるカメラシステムに関する。
【背景技術】
【０００２】
近年、一眼レフデジタルカメラが急速に普及している。この一眼レフデジタルカメラでは、光学ファインダを用いて被写体を観察する場合、撮像光学系に入射した光が、光路上に配置された反射ミラーにより反射され、ファインダ光学系に導かれる。この結果、ペンタプリズム等を介して被写体像が正立像に変換され、光学ファインダに導かれる。これにより、撮影者は、撮像光学系により形成された被写体像を光学ファインダから観察できる。このように、通常は光路上に反射ミラーが配置されている。
一方、被写体の光学像を画像信号に変換する場合は、反射ミラーが光路から待避し、撮像光学系からの光が撮像素子に入射する。これにより、撮像素子において光電変換が行われ、被写体の画像データが得られる。撮影が終了すると、反射ミラーは光路上に挿入され定位置に戻る。このような反射ミラーの動作は、一眼レフカメラであれば、従来の銀塩カメラでも、デジタルカメラでも同様である。
【０００３】
しかし、反射ミラーの定位置が光路上である場合、撮像素子に撮像光学系からの光が入射しない。このため、デジタルカメラの場合、前述のシステムでは撮影者が液晶モニタを用いて被写体を観察するモニタ撮影モードを実現できず、このようなカメラシステムは撮影に不慣れな初心者にとっては不便である。
そこで、撮影時に液晶モニタを用いて撮影できる一眼レフデジタルカメラが提案されている（例えば、特許文献１を参照）。このカメラシステムでは、モニタ撮影モードにおいて、反射ミラーが光路外に退避し、撮像光学系からの光が撮像素子に入射する。これにより、液晶モニタにより被写体を観察することができる。
また一般に、一眼レフデジタルカメラの撮像素子は、通常のコンパクトデジタルカメラの撮像素子に比べてサイズが大きい。このため、撮像素子上に被写体の光学像が結像される際、焦点が合っている領域が少なく、被写界深度が浅くなる傾向にある。したがって、一眼レフデジタルカメラの場合、絞りを調整して被写界深度を確認することが重要となる。
【０００４】
そこで、例えば撮影条件を変更して撮影された複数の画像を並べて表示できるカメラシステムが提案されている（特許文献２）。
【特許文献１】特開２００１−１２５１７３号公報
【特許文献２】特開平６−６８０７号公報
【発明の開示】
【発明が解決しようとする課題】
【０００５】
しかしながら、例えば、撮影者がフレーミングを変更したり、あるいは被写体が動いたりする場合、２枚の画像を比較する際に予め取得された基準画像とライブ画像としての比較画像との構図が大きく変わり、両画像を比較できない。このように、従来のカメラシステムでは、状況によって画像を比較する際の利便性に欠ける。
本発明の課題は、複数の画像を並べて表示できるカメラシステムにおいて、利便性を高めることにある。
【課題を解決するための手段】
【０００６】
第１の発明に係るカメラシステムは、撮像光学系と、撮像部と、表示部と、条件調節部と、表示制御部と、を備えている。撮像光学系は被写体の光学像を形成する。撮像部は光学像を画像信号に変換し被写体の画像を順次取得する。表示部は撮像部により取得された複数の画像を並べて表示可能なように第１および第２表示領域を有している。条件調節部は撮影条件を第１周期で第１撮影条件に調節する。表示制御部は、第１撮影条件下において撮像部により取得された第１画像の少なくとも一部を基準画像として第１表示領域に表示させ、第１画像とは異なるタイミングで撮像部により取得された第２画像の少なくとも一部を比較画像として第２表示領域に表示させる。
このカメラシステムでは、撮像光学系により形成された被写体の光学像が撮像部により画像信号に変換され、被写体の画像が順次取得される。取得された画像は表示制御部により表示部に表示される。このとき、条件調節部により撮影条件が第１周期で第１撮影条件に調節されるため、第１表示領域には第１周期で第１画像が表示される。一方、第２表示領域には、第１撮影条件と同じあるいは異なる撮影条件下において取得された第２画像が表示される。
ここでは、第１画像を基準として第１および第２表示領域に表示された複数の画像を比較する場合、基準となる第１画像が一定の撮影条件下において取得された最新の画像に順次更新される。これにより、例えば、撮影者がフレーミングを変更する場合や被写体が動く場合などにおいても、ほぼ同じ構図で順次更新される２枚の画像を比較することができる。すなわち、このカメラシステムでは画像を比較する際の利便性を高めることができる。
ここで、第１周期とは、同じ動作（単一または複数の動作）が一定時間ごとに繰り返される際の時間間隔を意味している。また、撮影条件としては、例えば、絞り値、シャッタースピード、夜景モードなどの撮影モードなどが挙げられる。
【０００７】
第２の発明に係るカメラシステムは、第１の発明に係るカメラシステムにおいて、撮影条件を入力可能な条件入力部をさらに備えている。条件調節部は、撮影条件を第１撮影条件に調節するタイミングとは異なるタイミングで、条件入力部に入力された第２撮影条件に撮影条件を調節する。
第３の発明に係るカメラシステムは、第２の発明に係るカメラシステムにおいて、条件調節部が、撮影条件を第１周期で第１撮影条件に調節し、撮影条件を第２周期で第２撮影条件に調節する。
【０００８】
第４の発明に係るカメラシステムは、第３の発明に係るカメラシステムにおいて、第１周期が第２周期と同じである。
第５の発明に係るカメラシステムは、第４の発明に係るカメラシステムにおいて、表示制御部が、新たに基準画像が取得されるまでの間、最新の基準画像を表示部に継続して表示させ、新たに比較画像が取得されるまでの間、最新の比較画像を表示部に継続して表示させる。
【０００９】
第６の発明に係るカメラシステムは、第１から第５のいずれかの発明に係るカメラシステムにおいて、表示制御部が、基準画像を第１画像のその他の部分よりも拡大して第１表示領域に表示させ、比較画像を第２画像のその他の部分よりも拡大して第２表示領域に表示させる。
第７の発明に係るカメラシステムは、第１から第５のいずれかの発明に係るカメラシステムにおいて、基準画像および比較画像が、撮像部により取得された画像の中央線を基準に線対称の関係にある。
【発明の効果】
【００１０】
本発明に係るカメラシステムでは、上記の構成を有しているため、画像を比較する際の利便性を高めることができる。
【発明を実施するための最良の形態】
【００１１】
［第１実施形態］
以下、図面を参照しながら本発明の実施の形態について説明する。
＜1：カメラシステムの全体構成＞
本発明の第１実施形態に係るカメラシステム１００について説明する。図１に本発明の第１実施形態に係るカメラシステム１００の全体構成図を示す。
図１に示すカメラシステム１００は、交換レンズ式の一眼レフデジタルカメラシステムである。カメラシステム１００は、カメラ本体１と交換レンズユニット２とから構成される。
また、カメラシステム１００と交換レンズユニット２とは、それぞれに設けられた交換レンズユニット２側のレンズマウント２１の電気切片２２（図示せず）と、カメラシステム１００側のボディーマウント２３の電気切片２４（図示せず）とを介して、各種の制御信号の通信を行う。
【００１２】
（１．１：交換レンズユニットの構成）
交換レンズユニット２は、主に、撮像光学系Ｌと、撮像光学系Ｌの絞りを調整するための条件調節部としての絞り設定部２９と、交換レンズユニット２の各種シーケンスを制御するレンズマイコン２０とから構成される。交換レンズユニット２は、レンズマウント２１を有し、カメラ本体１のボディ前面に設けられたボディーマウント２３に取り外し可能に装着される。
交換レンズユニット２は、被写体の光学像を形成するための撮像光学系Ｌを有する。また、交換レンズユニット２内の各種シーケンスをコントロールし、各種レンズ情報を保持しているレンズマイコン２０が搭載されている。交換レンズユニット２内には、フォーカスレンズ群２５を駆動制御するフォーカス制御部２６が搭載されている。さらに、絞りユニット２８を制御する絞り制御部２７が搭載されている。
【００１３】
撮像光学系Ｌは、主に、フォーカスレンズ群２５と、絞りユニット２８とから構成される。
絞り設定部２９は、主に、撮影者が回転操作することで絞り値を入力することができる条件入力部としての絞りリング４０と、絞りリング４０の回転角度に応じた物理量を出力する絞りリニアセンサ４１と、絞り羽根を駆動する絞り駆動モータ２８ｂと、設定された絞り値となるように絞りを調整する絞り制御部２７とから構成される。
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、メモリ６９が搭載されており、メモリ６９に格納されたプログラムがＣＰＵに読み込まれることで、様々な機能を実現することができる。レンズマイコン２０は、フォーカス制御部２６、絞り制御部２７、シフト制御部４７等に対し、命令（例えば、制御信号やコマンド）を出力することで、フォーカス制御部２６、絞り制御部２７、シフト制御部４７等にそれぞれの制御を実行させる。また、レンズマイコン２０は、ボディーマイコン１２とインターフェースを介して接続され、ボディーマイコン１２とマイコン間通信を行う。
【００１４】
（１．２：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部４５と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２とから構成されている。
なお、ファインダ光学系１９が観察光学系をなし、クイックリターンミラー４が可動ミラーをなし、撮影モード切り換えボタンおよびボディーマイコンが撮影モード切換部をなし、絞り込みモードボタンおよびボディーマイコンが絞り込みモード設定部をなす。
交換レンズユニット２を通過した被写体光は、クイックリターンミラー４のメインミラー４ａにより２つの光束（反射光束および透過光束）に分割され、反射光束は、ファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
【００１５】
メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
カメラシステム１００内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示制御部１５は、撮像センサ１１より画像データを読み出し、所定の画像処理を行った後、液晶モニタ１６に撮影画像を表示させる。また、画像記録制御部１７は、図示せぬＳＤカードなどの記録媒体に対して、画像記録部１８を介して、撮影画像の読み書きを行う。
クイックリターンミラー４は、主に、入射光を反射および透過可能なメインミラー４ａと、メインミラー４ａの背面側に設けられメインミラー４ａからの透過光を反射するサブミラー４ｂとから構成されており、クイックリターンミラー制御部６０により光路Ｘ外に跳ね上げが可能である。クイックリターンミラー４は、図２に示す位置と、図３に示す位置とを移動可能に設置されている。また、メインミラー４ａにより、入射光は、２つの光束に分割され、反射光束はファインダ光学系１９へ導かれ、透過光束は、サブミラー４ｂで反射されて、焦点検出用ユニット５に導かれる。
【００１６】
ファインダ光学系１９は、主に、被写体像が結像されるファインダースクリーン６と、被写体像を正立像に変換するペンタプリズム７と、被写体の正立像をファインダ接眼窓９に導く接眼レンズ８と、撮影者が被写体像を観察するファインダ接眼窓９とから構成されている。
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部４５は、主に、光電変換を行うＣＣＤなどの撮像センサ１１と、撮像センサ１１を制御する撮像センサ制御部１３とから構成され、被写体像を撮影画像として取得する。撮像部４５により、入射光による被写体像が、撮影画像を形成する電気信号に変換される。
【００１７】
画像表示部は、液晶モニタ１６と、液晶モニタ１６の動作を制御する画像表示制御部１５とから構成されている。画像記録部１８は、例えば、図示せぬカード型記録媒体に対して撮影画像の記録および再生を行う。画像記録部１８は、画像記録部１８の動作を制御する画像記録制御部１７により制御される。液晶モニタ１６は、複数の画像を並べて表示可能なように、例えば２つの表示領域を有している。画像表示制御部１５は、液晶モニタ１６の２つの表示領域に異なる画像を別々に表示させることができる。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。ボディーマイコン１２は、シャッター制御部１４、撮像センサ制御部１３、画像表示制御部１５、画像記録制御部１７等に対し、命令（例えば、制御信号やコマンド）を出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
【００１８】
後述するように、ボディーマイコン１２はさらに、絞り設定部２９での絞り値がプリセット値になるように、所定の周期（第１周期）で絞り制御部２７に制御信号を送信する機能、絞り設定部２９での絞り値が絞りリング４０の指示値になるように、所定の周期（第２周期）で絞り制御部２７に制御信号を送信する機能、を有している。また、ボディーマイコン１２は、これらの周期に合わせて、撮像部４５に画像取得の制御信号を送信する機能や画像表示制御部１５に取得された画像を表示させる機能などを有している。
（１．３：ファインダ撮影モードとモニタ撮影モード）
このカメラシステム１００は、撮影モードとして、ファインダ撮影モードとモニタ撮影モードとを有する。ファインダ撮影モードは、撮影者がファインダ接眼窓９を介して被写体を観察しながら撮影するモードであり、従来の一眼レフカメラにおける通常の撮影モードである。
【００１９】
このファインダ撮影モードにおいては、図２に示すように、クイックリターンミラー４は、光路Ｘ内の所定位置に配置されており、被写体光は、ファインダ光学系１９に導かれるので、撮影者等は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
モニタ撮影モードは、撮影者が液晶モニタ１６に表示される被写体を観察しながら撮影するモードである。モニタ撮影モードでは、図３に示すように、クイックリターンミラー４が光路Ｘ内から退避する。液晶モニタ１６には、撮像センサ１１を介して被写体の画像、いわゆるスルー画像が表示される。
（１．４：交換レンズユニットの上面の構成）
図４は、本発明の第１実施形態に係る交換レンズユニット２を取り付けたカメラシステム１００の上面図である。なお、図４に示すように、Ｘ軸、Ｙ軸およびＺ軸を定義する（撮像光学系Ｌを構成するレンズの光軸と平行にＺ軸をとる）。
【００２０】
カメラシステム１００は、被写体を撮影する際に撮影者等により支持される筐体を有する。このカメラシステム１００は、レリーズボタン３０と、シャッタースピード設定ダイヤル３１とを含む。レリーズボタン３０と、シャッタースピード設定ダイヤル３１とは、カメラ本体１の上面の右側に設けられている。
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
また、カメラシステム１００本体は、液晶モニタ１６を含む。液晶モニタ１６は、カメラシステム１００本体の撮影者等側の面に設けられている。液晶モニタ１６の作用については後述する。
【００２１】
交換レンズユニット２は、最も被写体側（Ｚ軸方向正側）に、フィルタマウント３７を持つ。交換レンズユニット２は、フィルタマウント３７からカメラシステム１００本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
（１．５：カメラ本体の背面の構成）
図５は、本発明の第１実施形態に係るカメラシステム１００の背面図である。カメラシステム１００本体は、電源ボタン７０、撮影／再生モード切り替えレバー７１、ＭＥＮＵボタン７２、十字操作キー７３、ＳＥＴボタン７４、及び深度確認ボタン７６を含む。
【００２２】
電源ボタン７０は、カメラシステム１００の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラシステム１００において、被写体を新たに撮影して画像信号にするために設定されるモードである。また、再生モードとは、カメラシステム１００において、既に撮影して格納されている画像信号を表示させるために設定されるモードである。
ＭＥＮＵボタン７２は、液晶モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
【００２３】
深度確認ボタン７６は、後述する深度確認モードへ移行させるためのボタンである。カメラシステム１００では、撮影者がこの深度確認ボタン７６を押すことにより、絞り込みモードへと移行される。
（１．６：絞りについて）
絞りリング４０は、円筒形状である。図６（ａ）は、本発明の第１実施形態に係る絞りリングの外周面の展開図、図６（ｂ）は、本発明の第１実施形態に係る絞りリングの内周面の展開図である。
図４および図６（ａ）に示すように、絞りリング４０の外周面には、絞り値が表示されている。絞り値の表示領域は、２つの領域に分かれている。図６（ａ）中、「２」から「１１」までの１ＡＶ（Ａｐｅｒｔｕｒｅ  Ｖａｌｕｅ）ごとの表示部分がマニュアル領域の絞り値に対応する。また、図６（ａ）中、「Ａ」の表示部分がオート領域の絞り値に対応する。図４および図６（ｂ）に示すように、絞りリング４０は、内周面に直線のカム溝４２を持つ。なお、絞り値については、１ＡＶごとの選択に限定されるものではない。
【００２４】
また、交換レンズユニット２は、その内部に絞りユニット２８を有する。絞りユニット２８は、内部に絞り羽根（図示せず）を駆動するための絞り駆動モータ２８ｂを含む。絞り駆動モータ２８ｂは、後述する制御により、絞りリング４０の回転角度に応じて絞り羽根を駆動する。この絞り羽根が駆動されることにより、撮像光学系Ｌの絞り値が変更される。
図７は、本発明の第１実施形態に係る絞りリング４０と絞りリニアセンサ４１との結合を示す部分断面図である。絞りリニアセンサ４１は、絞りリング４０の半径方向外側に突出する円筒形状の摺動子４１ａを含む。絞りリング４０に形成されたカム溝４２は、絞りリニアセンサ４１の摺動子４１ａと結合する。
この絞りリニアセンサ４１は、主に、図８（ａ）に示すように可変抵抗器を有する回路により構成される。図８（ａ）における端子Ｔ２は、図７の摺動子４１ａに接続されており、端子Ｔ２およびＴ３は、図７の絞りリニアセンサの両端部４１ｂおよび４１ｃにそれぞれ接続されている。端子Ｔ１，Ｔ３間に所定の電圧を印可すると、絞りリニアセンサ４１に設けられた円筒状の摺動子４１ａが、絞りリニアセンサ４１内にある磁気抵抗体（図示せず）上をスライドすることにより、端子Ｔ２の出力（出力電圧）は、図８（ｂ）に示すようにリニアに変化する。
【００２５】
図９は、本発明の第１実施形態に係る絞りリング４０の回転角度と絞りリニアセンサ４１の出力値（出力電圧値）との関係を示すグラフである。図４および図６において、絞りリング４０を回転させて、絞りリング４０上の文字「２」が表示されている位置を、指標３３の位置と一致させた場合、絞りリニアセンサ４１の摺動子４１ａは、カム溝４２上のＰの位置にある。その場合、絞りリニアセンサ４１の出力値（出力電圧値）は、Ｐ‘となる。つまり、絞りリング４０上の文字「２」が表示されている位置を指標３３の位置と一致させた場合の絞りリング４０の回転角度に対応する、絞りリニアセンサ４１の出力電圧値は、Ｐ’となる。
同様に、絞りリング４０を回転させて、絞りリング４０上の文字「２．８」、「４」、「５．６」、「８」、「１１」および「Ａ」が表示されている位置を、指標３３の位置と一致させた場合、絞りリニアセンサ４１の摺動子４１ａのカム溝４２上の位置は、それぞれ、Ｑ、Ｒ、Ｓ、Ｔ、ＵおよびＶの位置にある。その場合、絞りリニアセンサ４１の出力値（出力電圧値）は、それぞれ、Ｑ‘、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合の絞りリング４０の回転角度に対応する、絞りリニアセンサ４１の出力電圧値は、それぞれ、Ｑ‘、Ｒ’、Ｓ’、Ｔ’、Ｕ’およびＶ’となる。
【００２６】
このように、絞りリニアセンサ４１は、絞りリング４０の回転角度と一対一で対応する出力（出力電圧値）を示す。したがって、絞りリニアセンサ４１により、絞りリング４０の回転角度を検出することができる。絞りリニアセンサ４１は、回転角度に応じた絞り値信号を電圧変化として出力する。
（１．７：カメラ本体の制御システム）
図１０は、本発明の第１実施形態に係るカメラシステム１００の制御システムを示すブロック図である。
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、深度確認ボタン７６とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を持つ。
【００２７】
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、ＣＣＤ（Ｃｈａｒｇｅ  Ｃｏｕｐｌｅｄ  Ｄｅｖｉｃｅ）等により構成される。撮像センサ１１は、交換レンズユニット２の撮像光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
【００２８】
画像信号は、撮像センサ１１から、アナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）等により構成される。
【００２９】
バッファメモリ５４から出力された画像信号は、画像記録制御部１７からの命令に従って、画像圧縮部５６に送信される。画像圧縮部５６は、画像記録制御部１７の命令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
圧縮された画像信号は、画像圧縮部５６から画像記録部１８及び液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて液晶モニタ１６を制御する。
【００３０】
画像記録部１８は、画像記録制御部１７の命令に基づいて、画像信号を内部メモリ及び／又はリムーバブルメモリに記録する。画像記録部１８は、画像記録制御部１７の命令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報および撮影モード情報を含む。
液晶モニタ１６は、画像表示制御部１５の命令に基づいて、画像信号を可視画像として表示する。液晶モニタ１６は、画像表示制御部１５の命令に基づいて、画像信号とともに表示すべき情報を、表示する。画像信号とともに表示すべき情報は、焦点距離情報，シャッタースピード情報，絞り値情報，撮影モード情報および合焦状態情報の表示を含む。
また、液晶モニタ１６は、画像表示制御部１５の命令に基づいて、所定の撮影／再生モードにおいて、撮影者等により設定されるべき設定画面を表示する。
【００３１】
撮影者等が撮影する場合には、電源ボタン７０をＯＮにし、撮影／再生モード切り替えレバー７１を撮影モードに合わせる。これによりカメラシステム１００本体の電源が入り、液晶モニタ１６には、撮像センサ１１により電気的な画像信号に変換された被写体の光学像が可視画像として、画像表示制御部１５の命令に基づいて表示される。
カメラシステム１００が撮影モードにある状態において、撮影者等がＭＥＮＵボタン７２を押すと、液晶モニタ１６は、画像表示制御部１５の命令に基づき、撮影モードにおいて撮影者等により変更可能な設定の項目を、アイコン化した設定メニュー画像として表示する。
（１．８：交換レンズユニットの制御システム）
図１１は、本発明の第１実施形態に係る交換レンズユニット２内の制御システムを示すブロック図である。
【００３２】
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を撮像光学系Ｌの焦点距離情報に変換する。ズーム制御部６２は、焦点距離情報をレンズマイコン２０へ送信する。
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの命令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００３３】
絞り制御部２７は、絞りリニアセンサ４１から信号を受信可能であり、Ａ／Ｄ変換部６７を介して、絞り駆動モータ２８ｂへ信号を送信可能である。絞り制御部２７は、絞りリニアセンサ４１により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの命令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
＜２：カメラシステムの動作＞
（２．１：カメラシステム１００の撮影動作（ファインダ撮影モード））
次に、カメラシステム１００の撮影動作について説明する。まず、図１、図２、図１０および図１１に基づき、撮影者等が、ファインダ接眼窓９を覗いて撮影するファインダ撮影モードにおける駆動シーケンスについて説明する。
【００３４】
撮影者等のレリーズボタン３０の半押し動作により、カメラシステム１００内のボディーマイコン１２および各種ユニットには、電源が供給される。電源供給により起動するカメラシステム１００内のボディーマイコン１２は、同じく電源供給で起動する交換レンズユニット２内のレンズマイコン２０より、レンズマウント２１およびボディーマウント２３を介して、各種レンズデータを受け取り、内蔵するメモリ６８に保存する。次に、ボディーマイコン１２は、焦点検出用ユニット５より、焦点ずれ量（以後、「Ｄｆ量」という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３５】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、液晶モニタ１６に撮影画像として表示される。また、撮像センサ１１から読み出され、所定の画像処理を実行された画像データは、画像記録部１８を介して、記憶媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
【００３６】
（２．２：モニタ撮影モードの動作）
次に、図１、図３、図１０および図１１に基づき、撮影者等が液晶モニタ１６を用いて撮影するモニタ撮影モードにおける駆動シーケンスについて説明する。
液晶モニタ１６を用いて撮影する場合、撮影者は、撮影モード切り替えボタン７５を操作して、モニタ撮影モードに設定する。モニタ撮影モードに設定されると、ボディーマイコン１２は、クイックリターンミラー４を光路Ｘ内から退避させる。これにより、被写体からの光が撮像センサ１１に達するので、撮像センサ１１は、撮像センサ１１上に結像される被写体からの光を画像データに変換し、画像データとして取得し、出力することができる。撮像センサ制御部１３により撮像センサ１１から読み出された画像データは、所定の画像処理を実行された後、液晶モニタ１６に撮影画像として表示される。このように、撮影画像を液晶モニタ１６に表示させることにより、撮影者等は、ファインダ接眼窓９を覗くことなく、被写体を追いかけることが可能となる。
【００３７】
次に、撮影者等のレリーズボタン３０の半押し動作により、カメラシステム１００のボディーマイコン１２は、交換レンズユニット２内のレンズマイコン２０より、レンズマウント２１およびボディーマウント２３を介して、各種レンズデータを受け取り、内蔵するメモリ６８に保存する。次に、ボディーマイコン１２は、クイックリターンミラー制御部６０により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３８】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理が実行された後、液晶モニタ１６に撮影画像として表示される。また、撮像センサ１１から読み出され、所定の画像処理が施された画像データは、画像記録部１８を介して、記憶媒体に画像データとして書き込まれる。また、露光終了後、クイックリターンミラー４は、光路Ｘ内から退避した状態に位置しているので、引き続き、撮影者は、モニタ撮影モードにより、被写体を液晶モニタ１６上の撮影画像として見ることができる。
【００３９】
また、モニタ撮影モードを解除する場合には、撮影者が、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される。また、カメラシステム１００（例えば、一眼レフデジタルカメラ）本体の電源を切断する際にも、クイックリターンミラー４は、光路Ｘ内の所定位置に戻される。
（２．３：カメラシステムの露出設定動作）
次に、図４、図１０を用いて、カメラシステム１００の露出設定動作について説明する。カメラシステム１００は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【００４０】
カメラシステム１００の操作を行う撮影者等は、絞りリング４０を所定の回転角度とシャッタースピード設定ダイヤル３１の回転角度とを組み合わせて設定することにより、４つの露出設定モードを選択することができる。すなわち、撮影者等は、絞りリング４０の文字「Ａ」を指標３３と一致させた状態で、シャッタースピード設定ダイヤル３１をオートの位置に合わせることで、プログラム撮影モードに設定することができる。撮影者等は、絞りリング４０の文字「Ａ」を指標３３と一致させた状態で、シャッタースピード設定ダイヤル３１をマニュアル設定可能な位置に合わせることで、シャッタースピード優先撮影モードに設定することができる。撮影者等は、絞りリング４０の文字「２」〜「１１」のいずれかを指標３３と一致させた状態で、シャッタースピード設定ダイヤル３１をオートの位置に合わせることで、絞り優先撮影モードに設定することができる。撮影者等は、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
【００４１】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．４：オート絞りモードの露出設定動作）
絞りリニアセンサ４１は、回転角度に応じた信号を絞り制御部２７へ出力する。絞りリング４０の文字「Ａ」を指標３３と一致させた状態にあるとき、撮影者によりレリーズボタン３０が操作されると、絞り制御部２７は、絞りリニアセンサ４１から受信した信号に基づいて露出設定モードがオート絞りモードであると判断する。判断した結果は、レンズマイコン２０およびボディーマイコン１２へ送信される（ボディーマイコン１２への送信は、レンズマイコン２０とボディーマイコン１２とのマイコン間通信を介して行われる。）。
【００４２】
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
ボディーマイコン１２は、デジタル信号処理部５３へ命令を送信する。デジタル信号処理部５３は、受信した命令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００４３】
ボディーマイコン１２は、演算結果に基づいて制御信号を生成する。ボディーマイコン１２は、演算された絞り値に基づく制御信号を、交換レンズユニット２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容がプログラム撮影モードを指示するものであるとき、露出設定モードがプログラム撮影モードである旨の表示を行う。液晶モニタ１６、制御信号の内容がシャッタースピード優先撮影モードを指示するものであるとき、露出設定モードがシャッタースピード優先撮影モードである旨の表示を行う。
【００４４】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のオート絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４５】
画像記録部１８は、画像記録制御部１７の命令に基づいて、制御信号の内容がプログラム撮影モードを指示するものであるとき、画像信号とともに露出設定モードがプログラム撮影モードである旨の情報を内部メモリ及び／又はリムーバブルメモリに記録する。画像記録部１８は、画像記録制御部１７の命令に基づいて、制御信号の内容がシャッタースピード優先撮影モードを指示するものであるとき、画像信号とともに露出設定モードがシャッタースピード優先撮影モードである旨の情報を内部メモリ及び／又はリムーバブルメモリに記録する。
（２．５：マニュアル絞りモードの露出設定動作）
次に、絞りリング４０の文字「２」〜「１１」のいずれかの位置を指標３３と一致させた状態にあるとき、撮影者によりレリーズボタン３０が操作されると、絞り制御部２７は、絞りリニアセンサ４１から受信した信号に基づいて露出設定モードがマニュアル絞りモードであると判断する。判断した結果は、レンズマイコン２０へ送信される。また、シャッタースピード設定ダイヤル３１は、回転角度に応じた信号をボディーマイコン１２へ出力する。
【００４６】
ボディーマイコン１２は、絞り制御部２７から受信した判断結果と、シャッタースピード設定ダイヤル３１からの信号とに基づいて、露出設定モードがマニュアル絞りモードであることを認識する。
レンズマイコン２０は、絞り制御部２７に対して、絞りリング４０の回転角度より検出した絞り値情報を要求する。絞り制御部２７は、レンズマイコン２０からの命令に基づいて絞りリング４０の回転角度より検出した絞り値情報を、レンズマイコン２０およびボディーマイコン１２へ送信する（ボディーマイコン１２への送信は、レンズマイコン２０とボディーマイコン１２とのマイコン間通信を介して行われる。）。ボディーマイコン１２は、露出設定モードが絞り優先撮影モードである場合、デジタル信号処理部５３へ命令を送信する。デジタル信号処理部５３は、受信した命令に基づいて所定のタイミングで画像信号をボディーマイコン１２へ送信する。
【００４７】
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容が絞り優先撮影モードを指示するものであるとき、露出設定モードが絞り優先撮影モードである旨の表示を行う。液晶モニタ１６は、制御信号の内容がマニュアル撮影モードを指示するものであるとき、露出設定モードがマニュアル撮影モードである旨の表示を行う。
【００４８】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム１００のマニュアル絞りモードによる露出設定が行われる。以上の動作は、撮影者等のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４９】
画像記録部１８は、画像記録制御部１７の命令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部１８は、画像記録制御部１７の命令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
（２．６：深度確認モードの動作）
このカメラシステム１００では、絞り値の異なる複数の画像を並べて比較できるように、深度確認モードがさらに設けられている。図１２〜図１４を用いて深度確認モードにおける具体的な動作について説明する。図１２は深度確認モードにおけるフローチャートである。図１３および図１４は深度確認モードにおいて液晶モニタ１６に表示される画像の一例である。
【００５０】
この深度確認モードでは、基準画像および比較画像は、液晶モニタ１６に左右に並んだ状態で表示され、最新の基準画像および比較画像に交互に更新される。具体的には図１２に示すように、カメラシステム１００のボディーマイコン１２により、深度確認ボタン７６（図５）が押されたか否かが判断される（ステップＳ１）。深度確認ボタン７６が押された場合には、深度確認モードに移行する。具体的には、撮影モードがモニタ撮影モードであるか否かがボディーマイコン１２により判断される（ステップＳ２）。撮影モードがモニタ撮影モードである場合、例えば図１２（ａ）に示すように、液晶モニタ１６には被写体のライブ画像が表示されている（ステップＳ３）。一方、撮影モードがファインダ撮影モードである場合、クイックリターンミラー４が光路Ｘから退避し、モニタ撮影モードに切り換えられる（ステップＳ３）。このとき、深度確認モードに移行した際（深度確認ボタン７６が押された際）に絞りリング４０により設定されている絞り値（例えばＦ８）が絞り制御部２７により検出される（ステップＳ４）。検出された絞り値が、プリセット値としてレンズマイコン２０からボディーマイコン１２に送信され、ボディーマイコン１２のメモリ６８に記憶される。これにより、絞り値Ｆ８がプリセット値（第１撮影条件）として設定される（ステップＳ５）。
【００５１】
次に、図１３に示すように、液晶モニタ１６の第１表示領域Ｒ１３１に基準画像Ａが表示される。具体的には、絞り値がプリセット値Ｆ８である状態で、撮像部４５により第１画像ａ１が取得される（ステップＳ６）。画像表示制御部１５により第１画像ａ１の一部（図１３において破線で囲まれた部分）が液晶モニタ１６の第１表示領域Ｒ１３１に基準画像Ａ１として表示される（ステップＳ７）。例えば、第１画像ａ１における基準画像Ａ１の範囲は、ボディーマイコン１２または画像表示制御部１５などにより予め設定されている。基準画像Ａ１が表示される際、基準画像Ａ１の上側にはプリセット値である「Ｆ８」が表示される。次の基準画像の取得が完了するまで、画像表示制御部１５により基準画像Ａ１の表示状態は保持される。
さらに、図１３に示すように、第２表示領域Ｒ１３２に比較画像Ｂ１が表示される。具体的には、絞りリング４０により設定されている絞り値（第２撮影条件）が絞り制御部２７により検出される（ステップＳ８）。ここでは、深度確認モードに移行した直後に撮影者により絞りリング４０がＦ８からＦ２２まで操作された場合を想定する。検出された絞り値Ｆ２２に基づいて、絞り制御部２７により絞り駆動モータ２８ｂを駆動するための制御信号が生成される。この制御信号に基づいて絞り駆動モータ２８ｂにより絞り羽根が駆動される。この結果、絞り設定部２９での実際の絞り値が絞りリング４０で設定された絞り値Ｆ２２に変更される（ステップＳ９）。絞り調節完了後、撮像部４５により第２画像ｂ１が取得される（ステップＳ１０）。画像表示制御部１５により第２画像ｂ１の一部（図１３において破線で囲まれた部分）が液晶モニタ１６の第２表示領域Ｒ１３２に比較画像Ｂとして表示される（ステップＳ１１）。第２画像ｂ１における比較画像Ｂ１の範囲は、第１画像ａ１と同様に、ボディーマイコン１２や画像表示制御部１５などにより予め設定されている。比較画像Ｂ１が表示される際、比較画像Ｂ１の上側には検出絞り値「Ｆ２２」が表示される。次の比較画像の取得が完了するまで、画像表示制御部１５により比較画像Ｂ１の表示状態は保持される。
【００５２】
ここでは、比較画像Ｂ１は、絞り値がＦ２２であるため、基準画像Ａ１に比べて真ん中の人物と背景との両方に焦点が合っており、被写界深度が深い。一方、基準画像Ａ１は、絞り値がプリセット値Ｆ８であるため、比較画像Ｂ１に比べて真ん中の人物には焦点が合っているが背景には焦点が合っておらず、被写界深度が浅い。
次に、深度確認ボタン７６が操作されたか否かが判断される（ステップＳ１２）。具体的には、撮影者が比較画像Ｂ１を最終画像Ｃとして決定する場合、撮影者により深度確認ボタン７６が押される。図１４に示すように、深度確認ボタン７６が押されると、第２画像ｂ１が最終画像Ｃとして液晶モニタ１６に表示され画像記録部１８に記憶される（ステップＳ１３）。最終画像Ｃが記憶されると、深度確認モードが終了する。
一方、深度確認ボタン７６が操作されていない場合、絞り値がプリセット値Ｆ８になるように、絞り制御部２７により絞り駆動モータ２８ｂが駆動され、絞り調節が行われる（ステップＳ１４）。絞り調節完了後、第１画像ａ１が取得されるＳ６からＳ１１までのステップが、深度確認ボタン７６が操作されるまで繰り返される。これにより、異なる絞り値で取得された２枚の画像を並べて比較することができ、画像の被写界深度および適切な絞り値の確認が容易となる。
【００５３】
ここで、図１５を用いて基準画像Ａおよび比較画像Ｂの更新動作について詳細に説明する。図１５は深度確認モードのタイミングチャートである。ここでは、前述のプリセット値をＦ８として、撮影者が絞りリング４０を操作することによってステップＳ８における検出絞り値がＦ２２，Ｆ１６，Ｆ１１と順に変化する場合を例に説明する。撮影モードがモニタ撮影モードである場合を想定している。
図１５において、横軸が時間、縦軸が撮像光学系Ｌの絞り値である。実線が示す絞り値は実際に設定された絞り値であり、破線が示す絞り値は絞りリング４０の指示値である。横軸のｔ０，ｔ１，ｔ２・・・ｔ１９は撮像センサ１１での電荷蓄積動作に同期したタイミングである。ここでは、ｔ１−ｔ０＝ｔ２−ｔ１＝・・・＝ｔ１９−ｔ１８＝１／３０秒である。これらの時間は、液晶モニタ１６の更新周期（１フレーム周期）と同期している。Ｆ８，Ｆ１１，Ｆ１６，Ｆ２２と表記され太線で囲まれている期間が電荷蓄積期間であり、電荷蓄積期間以外の期間は電荷の蓄積が休止している期間あるいは撮像センサ１１がリフレッシュ動作に入っている期間を示す。なお、絞り値により電荷蓄積期間の長さは変更されるが、ここでは便宜上、電荷蓄積期間の長さは同じとしている。
【００５４】
基準画像Ａｎは第１表示領域Ｒ１３１に表示される画像の種類を示しており、比較画像Ｂｎは第２表示領域Ｒ１３２に表示される画像の種類を示している。太線で囲まれている画像は直前の電荷蓄積期間に対応している。
図１５に示すように、時間ｔ０とｔ１との間で深度確認ボタン７６が押され、深度確認モードに移行する（ステップＳ１）。このときの絞りリング４０の指示値Ｆ８がプリセット値として設定される（ステップＳ４）。時間ｔ１からｔ２まで撮像センサ１１において電荷が蓄積され、絞り値Ｆ８にて第１画像ａ１が取得され、第１画像ａ１の一部である基準画像Ａ１が第１表示領域Ｒ１３１に表示される（ステップＳ５、Ｓ６）。次の基準画像Ａ２が取得されるまで基準画像Ａ１は第１表示領域Ｒ１３１に継続して表示される（ステップＳ７）。このとき、比較画像は取得されていないため、第２表示領域Ｒ１３２には画像は表示されていない。
【００５５】
一方、深度確認ボタン７６が押された直後に、撮影者により絞りリング４０が操作され、瞬時に絞りリング４０の指示値がＦ２２に変更される。このため、基準画像Ａ１が取得された後、絞り制御部２７により絞りリング４０の指示値が検出され、絞り制御部２７により実際の絞り値がＦ２２に調節される（ステップＳ８、Ｓ９）。このとき、絞り駆動モータ２８ｂの動作に要する時間の分だけ、設定された絞り値に実際の絞り値が調節されるまで若干のタイムラグが生じる。このため、基準画像Ａ１の電荷蓄積が完了してから比較画像Ｂ１の電荷蓄積が開始されるまでの間には、概ね２／３０秒程度の余裕時間が確保されている。時間ｔ２からｔ４までの期間は、蓄積された電荷が掃き出されるなどにより、画像信号としては撮像センサ１１から出力されない。時間ｔ４から時間ｔ５まで撮像センサ１１において電荷が蓄積され、第２画像ｂ１が取得され、第２画像ｂ１の一部である比較画像Ｂ１が第２表示領域Ｒ１３２に表示される（ステップＳ１０）。次の比較画像Ｂ２の取得が完了するまで、比較画像Ｂ１の表示状態は保持される。このとき、第１表示領域Ｒ１３１では基準画像Ａ１の表示状態が保持される。
【００５６】
次に、比較画像Ｂ１の取得が完了した後、深度確認ボタン７６が操作されているか否かが確認される（ステップＳ１２）。深度確認ボタン７６が操作されていない場合は、基準画像Ａ２を取得するために、絞り設定部２９により絞り値がＦ２２からプリセット値Ｆ８に調節される（ステップＳ１４）。絞り調節完了後、時間ｔ７からｔ８までの間で電荷の蓄積が行われ、基準画像Ａ１の場合と同様に、基準画像Ａ２の取得および表示が行われる（ステップＳ６、Ｓ７）。このとき、第２表示領域Ｒ１３２には比較画像Ｂ１が継続して表示されている。
一方、基準画像Ａ２を取得している間に、撮影者により絞りリング４０が操作され、指示値がＦ２２からＦ１６に変更される。このため、基準画像Ａ２の取得が完了した後、絞り制御部２７により設定絞り値Ｆ１６が検出され、時間ｔ８からｔ１０までの間で絞り設定部２９により実際の絞り値がＦ１６に調節される（ステップＳ８、Ｓ９）。絞り調節完了後、比較画像Ｂ１の場合と同様に、比較画像Ｂ２の取得および表示が行われる（ステップＳ１０、Ｓ１１）。
【００５７】
以後、図１５に示すように、基準画像Ａ３、比較画像Ｂ３および基準画像Ａ４が順次取得され、第１表示領域Ｒ１３１または第２表示領域Ｒ１３２に表示される。
このように、この深度確認モードでは、絞り値が、６／３０秒に１回の周期（第１周期）でプリセット値になるように調節され、６／３０秒に１回の周期（第２周期）で絞りリング４０の指示値になるように調節される。互いの周期は３／６０秒だけずれており、プリセット値および指示値に基づいて交互に絞り値が調節される。この絞り調節動作と連動して、基準画像Ａｎおよび比較画像Ｂｎが所定の周期で交互に取得され、液晶モニタ１６に表示される。
このように、このカメラシステム１００では、深度確認モードにおいて基準画像Ａｎと比較画像Ｂｎとが順次更新されるため、撮影者がフレーミングを変更する場合や被写体が動く場合においても、ほぼ同じ構図で基準画像Ａｎと比較画像Ｂｎとを比較することが可能となる。これにより、画像を並べて比較する際の利便性を高めることができる。
【００５８】
［他の実施形態］
本発明の具体的な構成は、前述の実施形態に限られるものではなく、発明の要旨を逸脱しない範囲で種々の変更および修正が可能である。
（１）
前述の実施形態では、基準画像Ａｎの更新周期（第１周期）と比較画像Ｂｎの更新周期（第２周期）とが同じである。しかし、画像の更新周期は前述の実施形態に限定されない。
例えば、基準画像Ａｎと比較画像Ｂｎとが交互に更新されない場合も考えられる。具体的には図１６に示すように、基準画像Ａｎの更新周期は１２／３０秒であるのに対して、比較画像Ｂｎの更新周期は、基本的に１／３０秒であるが、基準画像Ａｎが取得される期間およびその前後の期間の５／３０秒だけ更新が停止され、比較画像Ｂｎの更新が停止している間だけ、最新の比較画像（例えば比較画像Ｂ７）の表示状態が保持される。言い換えると、この比較画像Ｂｎの更新周期は、１２／３０秒の周期で７／３０秒間の連続撮像動作が繰り返されている。
【００５９】
このように、基準画像Ａｎの更新周期を長く設定し、できるだけライブ映像に近い状態で比較画像Ｂｎを取得することで、比較画像Ｂｎを優先的に観察したい場合などにカメラシステム１００の利便性が向上する。
また逆に、できるだけライブ映像に近い状態で基準画像Ａｎを取得する場合も考えられる。これにより、基準画像Ａｎを優先的に観察したい場合などにカメラシステム１００の利便性が向上する。
さらに、前述の実施形態では、画像を取得するための単位期間（１／３０秒）は液晶モニタ１６の更新周期（１フレーム周期）に同期させている。しかし、更新周期はこれに限定されない。例えば、絞り設定部２９における絞り駆動時間などに合わせた単位期間で画像が取得されてもよい。
【００６０】
このように、基準画像Ａｎおよび比較画像Ｂｎの更新周期には、様々なパターンが考えられる。
（２）
基準画像Ａｎおよび比較画像Ｂｎの表示方法は、前述の実施形態に限定されない。例えば図１７に示すように、基準画像Ａｎおよび比較画像Ｂｎの一部を拡大して表示させることで、基準画像Ａｎおよび比較画像Ｂｎの細かい部分をより比較しやすくなる。これにより、例えば絞り値の変化を撮影者がより確認しやすくなる。また、元の画像と拡大された画像とを同時に更新させる構成にしたり、あるいはスーパーインポーズの様に元の画像に拡大された画像を重ねるように表示させたりする構成であってもよい。
また、前述の実施形態では、第１画像ａ１に対する基準画像Ａ１の位置関係は、第２画像ｂ１に対する比較画像Ｂ１の位置関係と同じである。しかし、図１８に示すように、基準画像Ａ１１を第１画像ａ１１の左半分の画像とし、比較画像Ｂ１１を第２画像ｂ１１の右半分画像としてもよい。すなわち、基準画像Ａｎおよび比較画像Ｂｎが撮像部４５により取得された画像の中央線Ｅを基準に線対称の関係にある。この場合、基準画像Ａ１１を第１表示領域Ｒ１３１に表示させ比較画像Ｂ１１を第２表示領域Ｒ１３２に表示させると、被写体の構図が大きく変化しなければ、基準画像Ａ１１および比較画像Ｂ１１で１枚の画像のように表示することが可能となる。これにより、画像を比較する際の利便性がさらに高まる。
【００６１】
（３）
前述の実施形態では、交換レンズユニット２に搭載された絞りリング４０を用いて絞り値の変更が行われている。しかし、絞りリング４０の代わりに、カメラ本体１に搭載されたダイヤルやボタンなどの操作部を用いて絞り値を変更できる構成であってもよい。また、カメラ本体１に搭載された操作部は、絞り値を変更するための操作部でなくとも、他の目的で使用される操作部と兼用であってもよい。
（４）
前述の実施形態では、液晶モニタ１６に表示する画像は、撮像センサ１１により取得されている。しかし、ファインダ光学系内に配置された別の撮像センサが用いられてもよい。この場合、モニタ撮影モードにおいて、クイックリターンミラー４を光路Ｘ外へ退避させる必要がない。また、クイックリターンミラー４およびファインダ光学系１９などの構成および配置は、前述の構成および配置などに限定されない。
【００６２】
（５）
前述の実施形態では、深度確認ボタン７６を１回押せば深度確認モードに移行し、深度確認ボタン７６もう１回押せば深度確認モードが解除される。しかし、深度確認ボタン７６を押している間のみ、深度確認モードを継続させるような構成であってもよい。
（６）
前述の実施形態では、絞り値を変更することにより被写界深度の確認が行われているが、変化させる撮影条件については、絞り値に限定されない。例えば、絞り値を変更することによる明るさの確認を行ってもよいし、例えば、絞り値に連動してシャッター速度（電荷蓄積時間）が変化する場合には、比較する画像が異なるシャッタースピードで撮影された複数の画像であってもよい。この場合、被写体の流れ具合の確認などが行える。
【００６３】
また、撮影条件として風景撮影、夜景撮影、マクロ撮影などの種々の撮影モードを変更させる場合も考えられる。この場合、撮影環境に応じた最適な撮影モードを、基準画像Ａｎおよび比較画像Ｂｎにより確認することができる。
（７）
前述の実施形態では、カメラシステム１００として一眼レフカメラを例に説明をしている。しかし、カメラシステム１００の実施形態はこれに限定されない。例えば、このカメラシステム１００は、コンパクトカメラなどに適用することも可能である。
（８）
液晶モニタ１６に並べて表示される２つの画像は、異なる絞り値で撮影される場合だけでなく、同じ絞り値である場合も考えられる。
【００６４】
（９）
なお、上記説明に用いた座標軸、方向等は、本発明の使用状態を限定するものではない。
【産業上の利用可能性】
【００６５】
本発明に係るカメラシステムは、画像を比較する際の利便性を高めることできる。このため、複数の画像を並べて表示できる機能を有するカメラシステムとして有用である。
【図面の簡単な説明】
【００６６】
【図１】本発明の第１実施形態に係る交換レンズユニットとデジタルカメラ本体の制御システムを示すブロック図
【図２】本発明の第１実施形態に係るファインダ撮影モードを説明する概念図
【図３】本発明の第１実施形態に係るモニタ撮影モードを説明する概念図
【図４】本発明の第１実施形態に係るデジタルカメラの上面図
【図５】本発明の第１実施形態に係るデジタルカメラの背面図
【図６】（ａ）は、本発明の第１実施形態に係る絞りリングの外周面の展開図、（ｂ）は、本発明の第１実施形態に係る絞りリングの内周面の展開図
【図７】本発明の第１実施形態に係る絞りリングと絞りリニアセンサの結合を示す部分断面図
【図８】（ａ）は、本発明の第１実施形態のレンズ鏡筒の絞りリニアセンサの回路図、（ｂ）は、本発明の第１実施形態のレンズ鏡筒の絞りリニアセンサの出力を表すグラフ
【図９】本発明の第１実施形態に係る絞りリングの回転角度と絞りリニアセンサの出力値の関係を示すグラフ
【図１０】本発明の第１実施形態に係るデジタルカメラ内の制御システムを示すブロック図
【図１１】本発明の第１実施形態に係る交換レンズユニット内の制御システムを示すブロック
【図１２】深度確認モードのフローチャート
【図１３】液晶モニタの表示例（基準画像、比較画像）
【図１４】液晶モニタの表示例（最終画像）
【図１５】深度確認モードのタイミングチャート（第１実施形態）
【図１６】深度確認モードのタイミングチャート（他の実施形態）
【図１７】液晶モニタの表示例（他の実施形態）
【図１８】液晶モニタの表示例（他の実施形態）
【符号の説明】
【００６７】
Ｌ  撮像光学系
Ｄｆ  焦点ずれ量
Ｘ  光路
１  カメラ本体
２  交換レンズユニット
４  クイックリターンミラー
９  ファインダ接眼窓
１０  シャッターユニット
１１  撮像センサ
１２  ボディーマイコン
１４  シャッター制御部
１５  画像表示制御部
１６  液晶モニタ（表示部）
１８  画像記録部
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
６０  クイックリターンミラー制御部
６１  クイックリターンミラー駆動モータ
６２  ズーム制御部
６５  フォーカス駆動モータ
７１  撮影／再生モード切り替えレバー
７２  ＭＥＮＵボタン
７５  撮影モード切り替えボタン
７６  深度確認モードボタン
【図１】
2008301318.tif 000003
【図２】
2008301318.tif 000004
【図３】
2008301318.tif 000005
【図４】
2008301318.tif 000006
【図５】
2008301318.tif 000007
【図６】
2008301318.tif 000008
【図７】
2008301318.tif 000009
【図８】
2008301318.tif 000010
【図９】
2008301318.tif 000011
【図１０】
2008301318.tif 000012
【図１１】
2008301318.tif 000013
【図１２】
2008301318.tif 000014
【図１３】
2008301318.tif 000015
【図１４】
2008301318.tif 000016
【図１５】
2008301318.tif 000017
【図１６】
2008301318.tif 000018
【図１７】
2008301318.tif 000019
【図１８】
2008301318.tif 000020